(57)【要約】移動通信端末用の移動通信ネットワークにおける電子メッセージングの方法が開示される。その方法は、電子メッセージを生成することと、電子メッセージをメッセージ通知と関連付けることと、移動通信ネットワーク上で受信者端末に伝送可能な信号によって、電子メッセージおよびメッセージ通知を表すことを、送信者端末において含む。信号は、受信者端末に受信される際に、電子メッセージの受信通知として、受信者端末のユーザインターフェースにおいてメッセージ通知が行われるように構成される。受信者端末における関連方法、ならびにそれぞれの方法を実行可能である送信者端末および受信者端末、ならびにそのような送信者端末および受信者端末を含むシステムが、さらに開示される。【選択図】図１
2009509260.tif 000002
【特許請求の範囲】
【請求項１】
移動通信端末用の移動通信ネットワークにおける電子メッセージングの方法であって、送信者端末において、
電子メッセージを生成することと、
前記電子メッセージをメッセージ通知と関連付けることと、
前記移動通信ネットワーク上で受信者端末に伝送可能な信号によって、前記電子メッセージおよび前記メッセージ通知を表すことであって、前記信号は、前記受信者端末に受信される際に、前記電子メッセージの受信通知として、前記受信者端末のユーザインターフェースにおいて前記メッセージ通知が行われるように構成されることと、
を含む、方法。
【請求項２】
前記信号は、前記移動通信ネットワークにおける電子メッセージング基盤によって伝送可能である、請求項1に記載の方法。
【請求項３】
前記電子メッセージング基盤は、ショートメッセージサービス（Short Message Service; SMS）、マルチメディアメッセージサービス（Multimedia Message Service; MMS）、および電子メールを含む群から選択される、請求項2に記載の方法。
【請求項４】
前記電子メッセージをメッセージ通知に関連付けることと、前記電子メッセージおよび前記メッセージ通知を信号によって表すこととは、前記メッセージ通知を前記電子メッセージに組み込むことを含み、前記信号は、その組み込まれたメッセージ通知を有する前記電子メッセージである、請求項1に記載の方法。
【請求項５】
前記電子メッセージをメッセージ通知に関連付けることと、前記電子メッセージおよび前記メッセージ通知を信号によって表すこととは、前記メッセージ通知の参照先を前記電子メッセージに組み込むことを含み、前記信号は、その組み込まれたメッセージ通知参照先を有する前記電子メッセージであり、前記メッセージ通知は、前記メッセージ通知参照先によって前記受信者端末にアクセス可能である、請求項1に記載の方法。
【請求項６】
前記メッセージ通知参照先によって参照される前記メッセージ通知は、事前に定義されて、かつ前記受信者端末におけるローカルメモリに保存される、請求項5に記載の方法。
【請求項７】
前記メッセージ通知参照先によって参照される前記メッセージ通知は、事前に定義されて、かつ前記移動通信ネットワーク上で利用可能な遠隔リソースに保存される、請求項5に記載の方法。
【請求項８】
前記メッセージ通知参照先によって参照される前記メッセージ通知は、前記移動通信ネットワーク上で前記送信者端末から前記受信者端末に伝送可能である別の電子メッセージに組み込まれる、請求項5に記載の方法。
【請求項９】
前記信号は、前記受信者端末のユーザインターフェースにおいて知覚可能効果を生成することによって、前記メッセージ通知が行われるように構成され、前記知覚可能効果は、視覚効果、聴覚効果、および触覚効果を含む群から選択される少なくとも１つの効果を含む、請求項1に記載の方法。
【請求項１０】
前記視覚効果にはグラフィカルアニメーションが含まれる、請求項9に記載の方法。
【請求項１１】
複数の潜在的メッセージ通知が提供され、前記電子メッセージと関連付けられる特定のメッセージ通知は、前記複数の潜在的メッセージ通知の中から前記送信者端末のユーザによって選択される、請求項1に記載の方法。
【請求項１２】
事前に定義されたメッセージ通知を、可能性のある電子メッセージ受信者に最初に割り当てることを含み、
前記電子メッセージを生成することは、前記電子メッセージの対象受信者の前記送信者端末のユーザから明細事項を受信することを含み、
前記関連付けることは、前記ユーザに特定された前記対象受信者に割り当てられる前記事前に定義されたメッセージ通知の１つとして、前記電子メッセージに関連付けられる前記メッセージ通知を判断することを含む、
請求項1に記載の方法。
【請求項１３】
前記関連付けることにおいて判断された前記メッセージ通知は、前記受信者端末のユーザインターフェースにおいて実行される際に、グラフィカルアニメーション形式の視覚効果をもたらすように構成され、
前記グラフィカルアニメーションに関する複数の異なる動作を提供することと、
前記受信者端末のユーザインターフェースにおいて前記メッセージ通知が行われる際に、使用される前記グラフィカルアニメーションの前記複数の異なる動作のうちの１つの選択を、前記送信者端末のユーザから受信することと、
を含む、請求項12に記載の方法。
【請求項１４】
前記グラフィカルアニメーションに関する前記複数の異なる動作は、前記送信者端末のユーザの異なる気分または感情を表すように構成される、請求項13に記載の方法。
【請求項１５】
移動通信端末用の移動通信ネットワークにおける電子メッセージングの方法であって、受信者端末において、
前記移動通信ネットワーク上で送信者端末から信号を受信することであって、前記信号は、前記送信者端末からの電子メッセージを含むことと、
前記送信者端末で前記電子メッセージと関連付けられたメッセージ通知を、前記信号から同定することと、
前記電子メッセージの受信通知として、受信者端末のユーザインターフェースにおいて前記メッセージ通知を行なうことと、
を含む、方法。
【請求項１６】
前記信号は、前記移動通信ネットワークにおける電子メッセージング基盤によって伝達されるようにして受信される、請求項15に記載の方法。
【請求項１７】
前記電子メッセージング基盤は、ショートメッセージサービス（Short Message Service; SMS）、マルチメディアメッセージサービス（Multimedia Message Service; MMS）、および電子メールを含む群から選択される、請求項16に記載の方法。
【請求項１８】
前記信号は、前記メッセージ通知が組み込まれた前記電子メッセージである、請求項15に記載の方法。
【請求項１９】
前記信号は、前記メッセージ通知の参照先が組み込まれた前記電子メッセージであり、前記識別することは、前記メッセージ通知参照先によって参照されるようにして前記メッセージ通知を取得することを含む、請求項15に記載の方法。
【請求項２０】
前記メッセージ通知参照先によって参照される前記メッセージ通知は、事前に定義されて、かつ前記受信者端末におけるローカルメモリに保存される、請求項19に記載の方法。
【請求項２１】
前記メッセージ通知参照先によって参照される前記メッセージ通知は、事前に定義されて、かつ前記移動通信ネットワーク上で前記受信者端末に利用可能な遠隔リソースに保存される、請求項19に記載の方法。
【請求項２２】
前記移動通信ネットワーク上で前記送信者端末から別の電子メッセージを受信することと、
前記メッセージ通知参照先によって参照される前記メッセージ通知を、前記別の電子メッセージから取得すること、
を含む、請求項19に記載の方法。
【請求項２３】
前記メッセージ通知が行なうことは、前記受信者端末のユーザインターフェースにおいて知覚可能効果を生成することを含み、前記知覚可能効果は、視覚効果、聴覚効果、および触覚効果を含む群から選択される少なくとも１つの効果を含む、請求項15に記載の方法。
【請求項２４】
前記視覚効果にはグラフィカルアニメーションが含まれる、請求項23に記載の方法。
【請求項２５】
移動通信端末用の移動通信ネットワークにおける電子メッセージングのための送信者端末であって、
電子メッセージを生成するための手段と、
前記電子メッセージをメッセージ通知に関連付けるための手段と、
前記移動通信ネットワーク上で受信者端末に伝送可能な信号によって、前記電子メッセージおよび前記メッセージ通知を表すための手段であって、前記信号は、前記受信者端末に受信される際に、前記電子メッセージの受信通知として、前記受信者端末のユーザインターフェースにおいて前記メッセージ通知が行われるように構成される、手段と、
を備える、送信者端末。
【請求項２６】
移動通信端末用の移動通信ネットワークにおける電子メッセージングのための受信者端末であって、
前記移動通信ネットワーク上で送信者端末から信号を受信するための手段であって、前記信号は、前記送信者端末からの電子メッセージを含む手段と、
前記送信者端末で前記電子メッセージと関連付けられたメッセージ通知を、前記信号から同定するための手段と、
前記電子メッセージの受信通知として、前記受信者端末のユーザインターフェースにおいて前記メッセージ通知を行うための手段と、
を備える、受信者端末。
【請求項２７】
移動通信ネットワークにおける電子メッセージングのためのシステムであって、送信者端末と受信者端末とを備え、
前記送信端末は、
・  電子メッセージを生成するための手段と、
・  前記電子メッセージをメッセージ通知に関連付けるための手段と、
・  前記移動通信ネットワーク上で受信者端末に伝送可能な信号によって、前記電子メッセージおよび前記メッセージ通知を表すための手段であって、前記信号は、前記受信者端末に受信される際に、前記電子メッセージの受信通知として、前記受信者端末のユーザインターフェースにおいて前記メッセージ通知が行われるように構成される手段と、
を備え、
前記受信端末は、
・  前記移動通信ネットワーク上で前記送信者端末から信号を受信するための手段であって、前記信号は、前記送信者端末からの電子メッセージを含む手段と、
・  前記送信者端末で前記電子メッセージと関連付けられたメッセージ通知を、前記信号から同定するための手段と、
・  前記電子メッセージの受信通知として、前記受信者端末のユーザインターフェースにおいて前記メッセージ通知を行うための手段と、
を備える、システム。
【発明の詳細な説明】
【技術分野】
【０００１】
本発明は、概して、移動通信におけるメッセージングに関し、より具体的には、移動通信端末用の移動通信ネットワークにおける、電子メッセージングのメッセージ通知に関する改良された方法および端末に関する。
【発明の背景】
【０００２】
GSM、UMTS、D-AMPS、またはCDMA2000などの通信システム用の移動電話機（携帯電話機）は、上記に係る移動通信端末の例としてよく知られている。近年、このような移動端末の使用範囲が、単なる音声通信から、SMS、MMS、および電子メールなどの電子メッセージングなどの種々の付加的機能も備えるものに拡大している。これらの種類の電子メッセージの中でも、SMSメッセージは、使用が簡単であることや帯域幅確保の性質があることがその理由の１つとして、これまで最も普及してきている（SMSメッセージは、テキストが160文字に限られる）。
【０００３】
従来、移動端末における電子メッセージの受信は、一般的に、図5の左上側の510aのように示され、「１通の新着メッセージ」などの短いテキストが、移動端末のディスプレイ512上のポップアップウィンドウ516に提示される。また、ポップアップウィンドウには、新着メッセージを象徴する封筒アイコン517も含まれる。ポップアップウィンドウ516は、一般的に、例えば、ユーザが「読む」のメニューオプション514aを選択して新着メッセージを読むことを選ぶか、または「取消」メニューオプション514選択してそのメッセージを読まないことを選ぶ場合、あるいは着信が知らされる場合などに、消滅して、その他の情報に置き換えられる。さらに、現代の移動端末は、移動端末に未読メッセージがある間ずっとディスプレイ512上（例えば、状態表示領域512bの最上部）で可視的な517のような封筒アイコンを使用することができる。
【０００４】
電子メッセージの受信を示す従来の方法の不利点として、メッセージが実際に受信トレイに入って、かつメッセージの本文を確認するまで、ユーザがメッセージの送信者を判断できないことが挙げられる。多くの場合、例えば会議中に、これはユーザにとって非常に厄介になりうる。特に、移動端末に既に多数の保存メッセージがある場合、受信したばかりのメッセージの読み込みに時間がかる。ユーザが重要なメッセージを待っている場合、これは非常に迷惑になりうる。したがって、従来技術の問題は、一般的に、受信メッセージの数および/または単一で静的な匿名の封筒アイコンを単に示す形式で、受信メッセージが移動端末において匿名かつ共同で示されることにある。
【０００５】
WO2004/040461は、制御装置、電子メッセージを受信するように構成されるインターフェース、ディスプレイ、およびメモリを有する移動端末などの通信装置を開示している。メモリは、ディスプレイ上に提示される少なくとも１つの事前に定義されたアイコンを表す画像データを保存し、電子メッセージの受信を示すようにする。さらに、メモリは、事前に定義された各アイコンと電子メッセージの送信者との関連付けを保存する。制御装置は、受信電子メッセージの送信者を判断し、その関連付けによって事前に定義された各アイコンで判断された送信者を一致させ、一致するアイコンがある場合はディスプレイに提示して、電子メッセージの受信ならびにその送信者を示す。この配列により、移動端末ユーザは、別の移動端末ユーザに個別のアイコンを割り当てることが可能になり、その別のユーザから電子メッセージを受信する場合、匿名のメッセージ通知の代わりに上記のような個別のアイコンが受信メッセージの通知として示されることによって、受信側のユーザが送信者をすぐ識別できるような表示が提供される。
【０００６】
可能性のある送信者からのメッセージ受信の際に、可能性のある電子メッセージ受信者が、自身の移動端末に個別のアイコンが表示されるようにカスタマイズ可能という点においては、WO2004/040461に提案されたアプローチによって従来技術は改善されるが、受信者が個別のアイコンと送信者を事前に関連付けていた場合のみ、このようなパーソナライズされたメッセージ通知が機能するという短所を有する。個別のアイコンの関連付けを受信者が事前に作成しなかった送信者からのメッセージを受信すると、受信者の端末は、上述のような標準的な匿名のメッセージ通知を使用しなければならない。
【０００７】
移動通信における電子メッセージングに関連する短所に、送信者と受信者との間の感情表現の対応が不十分であることが挙げられる。近年の調査によると、移動端末のユーザは、より豊かで意外なメッセージを欲していることが示された。具体的には、SMSなどの狭い媒体を介する通信の場合、感情を正確かつ効果的に表現することがしばしば難しくなる。短いテキストメッセージは、誤って解釈され易い。表現豊かな通信チャネル（MMSまたは電子メールなど）は、あまり直感的に使用されることがない（例えば、メッセージの添付としてグラフィカル要素を挿入するという観点において）。メッセージ通知も、メッセージ本文も、有意義かつ表現豊かな個人用のメッセージングおよびメッセージ通知を提供する能力に関して、現在のところ優れているとは言えない。
【特許文献１】WO2004/040461
【発明の摘要】
【０００８】
上記を考慮し、本発明の目的は、上述の問題を解決、あるいは少なくとも軽減することにある。より具体的には、本発明の実施形態は、移動端末用に改良された、パーソナライズされたメッセージ通知を提供し、電子メッセージの送信者が、自身のメッセージが対象の受信者に通知される方法に作用可能にすることを目的とする。また、本発明の実施形態は、移動端末の電子メッセージングにおける感情表現能力の向上も追求する。
【０００９】
通常、上記事項は、添付の独立特許請求項に基づく方法および端末によって達成される。
【００１０】
本発明の第1の側面は、移動通信端末用の移動通信ネットワークにおける電子メッセージングの方法であり、その方法は、送信者端末において以下を含む。
【００１１】
電子メッセージを生成すること。
【００１２】
前記電子メッセージをメッセージ通知と関連付けること。
【００１３】
前記移動通信ネットワーク上で受信者端末に伝送可能な信号によって、前記電子メッセージおよび前記メッセージ通知を表すことであって、前記信号は、前記受信者端末に受信される際に、前記電子メッセージの受信通知として、前記受信者端末のユーザインターフェースにおいて前記メッセージ通知が行われるように構成されること。
【００１４】
前記信号は、ショートメッセージサービス（Short Message Service; SMS）、マルチメディアメッセージサービス（Multimedia Message Service; MMS）、および電子メールを含む群から選択される電子メッセージング基盤などの、前記移動通信ネットワークにおける電子メッセージング基盤によって伝送可能であることが好ましい。
【００１５】
一実施形態において、前記電子メッセージをメッセージ通知に関連付けることと、前記電子メッセージおよび前記メッセージ通知を信号によって表すこととは、前記メッセージ通知を前記電子メッセージに組み込むことを含み、前記信号は、その組み込まれたメッセージ通知を有する前記電子メッセージである。有利には、本実施形態において、前記メッセージ通知は、SMS、MMS、または電子メールのメッセージにおいて、あるいはその添付としてペイロードに組み込まれる。
【００１６】
別の実施形態において、前記電子メッセージをメッセージ通知に関連付けることと、前記電子メッセージおよび前記メッセージ通知を信号によって表すこととは、前記メッセージ通知の参照先を前記電子メッセージに組み込むことを含み、前記信号は、その組み込まれたメッセージ通知参照先を有する前記電子メッセージであり、前記メッセージ通知は、前記メッセージ通知参照先によって前記受信者端末にアクセス可能である。このために、前記メッセージ通知参照先によって参照される前記メッセージ通知は、事前に定義されて、かつ前記受信者端末におけるローカルメモリに保存されてもよい。あるいは、それは、事前に定義されて、かつ前記移動通信ネットワーク上で利用可能な遠隔リソースに保存されてもよく、または前記移動通信ネットワーク上で前記送信者端末から前記受信者端末に伝送可能である別の電子メッセージに組み込まれてもよい。
【００１７】
有利には、前記信号は、前記受信者端末のユーザインターフェースにおいて知覚可能効果を生成することによって、前記メッセージ通知が行われるように構成され、前記知覚可能効果は、視覚効果、聴覚効果、および触覚効果を含む群から選択される少なくとも１つの効果を含む。
【００１８】
例えば、視覚効果は、グラフィカルアニメーションまたはアイコン、静止画像、または動画像列を前記受信者端末のディスプレイ上に表示すること、またはそのユーザインターフェースにおける通常の色調（ディスプレイ背景の色または一定のユーザインターフェース要素の色など）を変更または修正することを含んでもよい。聴覚効果は、前記受信者端末のスピーカを介して、音響効果または音楽列を再生することを含んでもよく、触覚効果は、前記受信者端末のバイブレータによってブザーパターンを生成することを含んでもよい。
【００１９】
一実施形態において、複数の潜在的メッセージ通知が提供され、前記電子メッセージと関連付けられる特定のメッセージ通知は、前記複数の潜在的メッセージ通知の中から前記送信者端末のユーザによって選択される。
【００２０】
事前に定義されたメッセージ通知を、可能性のある電子メッセージ受信者に最初に割り当てることを含んでもよい。
【００２１】
ここで、電子メッセージを生成することは、前記電子メッセージの対象受信者の前記送信者端末のユーザから明細事項を受信することを含む。
【００２２】
前記関連付けることは、前記ユーザに特定された前記対象受信者に割り当てられる前記事前に定義されたメッセージ通知の１つとして、前記電子メッセージに関連付けられる前記メッセージ通知を判断することを含む。
【００２３】
前記受信者端末のユーザインターフェースにおいて実行されるグラフィカルアニメーション形式のメッセージ通知に関して、前記方法は以下を含んでもよい。
【００２４】
前記グラフィカルアニメーションに関する複数の異なる動作を提供すること。
【００２５】
前記受信者端末のユーザインターフェースにおいて前記メッセージ通知が実行される際に、使用される前記グラフィカルアニメーションの前記複数の異なる動作のうちの１つの選択を、前記送信者端末のユーザから受信すること。
【００２６】
前記グラフィカルアニメーションに関するこのような複数の異なる動作は、前記送信者端末のユーザの異なる気分または感情を表すように構成されてもよい。
【００２７】
本発明の第2の側面は、移動通信端末用の移動通信ネットワークにおける電子メッセージングの方法であり、その方法は、受信者端末において以下を含む。
【００２８】
前記移動通信ネットワーク上で送信者端末から信号を受信することであって、前記信号は、前記送信者端末からの電子メッセージを含むこと。
【００２９】
前記送信者端末で前記電子メッセージと関連付けられたメッセージ通知を、前記信号から同定すること。
【００３０】
前記電子メッセージの受信通知として、前記受信者端末のユーザインターフェースにおいて前記メッセージ通知を行うこと。
【００３１】
有利には、前記信号は、前記移動通信ネットワークにおける、ショートメッセージサービス（Short Message Service; SMS）、マルチメディアメッセージサービス（Multimedia Message Service; MMS）、または電子メールなどの電子メッセージング基盤によって伝達されるようにして受信される。
【００３２】
一実施形態において、前記信号は、例えば、SMS、MMS、または電子メールメッセージのペイロードにおいて、あるいはその添付としてそこに組み込まれる通知を有する前記電子メッセージである。
【００３３】
別の実施形態において、前記信号は、そこに組み込まれる前記メッセージ通知の参照先を有する前記電子メッセージであり、前記識別することは、前記メッセージ通知参照先によって参照されるようにして前記メッセージ通知を取得することを含む。このために、前記メッセージ通知参照先によって参照される前記メッセージ通知は、事前に定義されて、かつ前記受信者端末におけるローカルメモリに保存されてもよく、または、それは、事前に定義されて、かつ前記移動通信ネットワーク上の前記受信者端末に利用可能な遠隔リソースに保存されてもよい。あるいは、その方法は、前記移動通信ネットワーク上で前記送信者端末から別の電子メッセージを受信することであって、前記メッセージ通知参照先によって参照される前記メッセージ通知は、前記別の電子メッセージから取得することを含んでもよい。
【００３４】
有利には、前記メッセージ通知が行なうことは、本発明の第1の側面で既に説明したように、前記受信者端末のユーザインターフェースにおいて知覚可能効果を生成することを含み、前記知覚可能効果は、視覚効果、聴覚効果、および触覚効果を含む群から選択される少なくとも１つの効果を含む。
【００３５】
本発明の第3の側面は、移動通信端末用の移動通信ネットワークにおける電子メッセージングのための送信者端末であり、その送信者端末は以下を含む。
【００３６】
電子メッセージを生成するための手段。
【００３７】
前記電子メッセージをメッセージ通知に関連付けるための手段。
【００３８】
前記移動通信ネットワーク上で受信者端末に伝送可能な信号によって、前記電子メッセージおよび前記メッセージ通知を表すための手段であって、前記信号は、前記受信者端末に受信される際に、前記電子メッセージの受信通知として、前記受信者端末のユーザインターフェースにおいて前記メッセージ通知が行われるように構成される手段。
【００３９】
本発明の第4の側面は、移動通信端末用の移動通信ネットワークにおける電子メッセージングのための受信者端末であり、その受信者端末は以下を備える。
【００４０】
前記移動通信ネットワーク上で前記送信者端末から信号を受信するための手段であって、前記信号は、前記送信者端末からの電子メッセージを含む手段。
【００４１】
前記送信者端末で前記電子メッセージと関連付けられたメッセージ通知を、前記信号から同定するための手段。
【００４２】
前記電子メッセージの受信通知として、前記受信者端末のユーザインターフェースにおいて前記メッセージ通知を行うための手段。
【００４３】
本発明の第3および第4の側面は、通常、第1および第2の側面と同一または対応する特徴を有する。
【００４４】
本発明の第5の側面は、移動通信ネットワークにおける電子メッセージングのためのシステムであり、そのシステムは、第3の側面に係る送信者端末と、第4の側面に係る受信者端末とを備える。
【００４５】
本発明は、いくつかの利点を有する。それによって、電子メッセージング、具体的には、SMSのようなテキストベースのメッセージングを感情的に向上させる容易な方法が提供される。また、それによって、パーソナライズされたメッセージ通知の選択によるメッセージングのより個人最適化された方法も提示される。したがって、それによって、受信者は、実施形態によっては、送信者からのメッセージ開封前でも送信者およびさらには送信者の気分までを識別することが可能になる。本発明のおかげで、いくつかの実施形態において、電子メッセージングは、キャラクタ化によってより楽しくなり、物語調になる。
【００４６】
本発明のその他の目的、特徴、および利点は、以下の詳細な開示、添付の独立請求項、ならびに図面により明白になるだろう。
【００４７】
【図面の簡単な説明】
【００４８】
本発明の実施形態について、添付の図面を参照してより詳細に記載する。
【００４９】
【図１】本発明を適用してもよい環境の例としての、移動通信端末および移動通信ネットワークを含む通信システムの概略図である。
【００５０】
【図２】第1の移動通信端末から第2の移動通信端末への電子メッセージングを実行するための本発明の原理を図式的に示し、ここで、あるメッセージ用のパーソナライズされたメッセージ通知は送信側端末で設定され、また、メッセージ通知はメッセージの受信時に受信側端末上で実行される。
【００５１】
【図３】図2のような送信者制御のメッセージ通知で電子メッセージングを実行する場合の、第1および第2の移動通信端末からの、一連の例示的な表示画面スナップショットを示す。
【００５２】
【図４】一環境に係る移動通信端末を詳細に示すブロック図である。
【００５３】
【図５】送信者制御および/または受信者制御によるパーソナライズされたメッセージ通知に関する異なる例を示す。
【００５４】
【図６】受信者側でメッセージ通知をパーソナライズする場合の、一連の例示的な表示画面スナップショットを示す。
【００５５】
【発明の詳細な説明】
【００５６】
まず図1を参照して、本発明を適用しうる通信システムの一例について簡潔に記載する。次に、残りの図面を参照して、本発明の実施形態についてより詳しく記載する。
【００５７】
図1の通信システムにおいて、音声電話、データ電話、ファックス伝送、音楽伝送、静止画像伝送、動画伝送、電子メッセージ伝送、および電子商取引などの種々の通信サービスが、異なる移動通信端末100、106間で実行されてもよい。これらのサービスの中でも特に、電子メッセージ伝送は、本発明にとって重要である。以下において、ショートメッセージサービス（Short Messaging Service; SMS）メッセージは、このような電子メッセージ伝送の一例として使用されるが、マルチメディアメッセージングサービス（Multimedia Messaging Service; MMS）または電子メールメッセージを含むがそれだけに限定されないその他の種類のメッセージも本概念に含まれる。
【００５８】
移動端末100、106は、基地局104、109をそれぞれ経由して、RFリンク102および108を介して移動通信ネットワーク110に接続される。移動通信ネットワーク110は、GSM、UMTS、D-AMPS、またはCDMA2000などの任意の市販の移動通信システムであってもよい。移動端末100、106は、移動電話機（携帯電話機）として示されるが、代替的に、携帯デジタルアシスタント（Portable Digital Assistant; PDA）などのその他の種類の携帯機器または通信装置であってもよい。
【００５９】
公衆交換電話網（Public Switched Telephone Network; PSTN）130は、周知の方法で移動通信ネットワーク110に接続される。種々の電話端子132は、PSTN130に接続される。
【００６０】
移動通信ネットワーク110は、インターネットまたはその一部であってもよい広域ネットワーク120に操作可能に接続される。インターネットサーバコンピュータ122はデータ保存部124を有し、広域ネットワーク120に接続される。インターネットクライアントコンピュータ126も同様に広域ネットワーク120に接続される。
【００６１】
周知の方法で、移動通信ネットワーク110にはSMSセンター114が設けられる。移動端末100、106のユーザは、無線リンク102、108を介して、SMSセンター114からSMSメッセージを受信してもよく、また、当然ながら、発信SMSメッセージをSMSセンター114に送信してもよい。それ自体よく知られているように、SMSメッセージは短い電子メッセージであり、一般的に、一方の端末100でユーザが手動で入力したテキストを、別のユーザが開いて読む別の端末106に伝達する。一実施形態において、移動通信ネットワークのSMSメッセージ基盤は、受信者端末において送信者制御のメッセージ通知を達成する新規の方法で使用される。これについて、図2を参照してより詳細に説明する。
【００６２】
図2は、移動通信ネットワーク30（図1のネットワーク110であってもよい）上の、第1の移動通信端末10（図1の端末100であってもよい）の第1のユーザ11から、第2の移動通信端末40（図1の端末106であってもよい）の第2のユーザ41への、本発明の概念に係る電子メッセージの通信を表す。各移動端末10/40は、制御装置12/42、ローカルメモリ20/50、移動通信ネットワーク30にアクセスする送信機/受信機22/52、ならびに入力装置14/44および出力装置16/46を含むユーザインターフェース18/48を備える。入力装置14/44には、一般的なITU-T型（文字「0」〜「9」、「*」および「#」を表すアルファベットや数値のキーパッド）ならびにソフトキーおよび/または電話対応キーなどのその他のキーを有するキーパッドを含んでもよい。また、4方向/5方向ナビゲーションキーおよび/またはジョイスティックなどのその他の入力手段も入力装置14/44に含まれてもよい。出力装置16/46には、ディスプレイ、１つ以上のLED、スピーカ（イヤホン）、およびバイブレータ（ブザー）が含まれてもよい。
【００６３】
第1の端末10で、第1のユーザ11によって制御されるパーソナライズされたメッセージ通知を有する電子メッセージを生成して、そのパーソナライズされたメッセージ通知を有する電子メッセージを第2の端末40に伝送し、電子メッセージ受信について、パーソナライズされたメッセージ通知によって第2の端末のユーザ41に通知する、一連の操作について記載する。
【００６４】
まず、第1のユーザ11は、メッセージングアプリケーショッン（図4の850など）における新しいメッセージ作成機能に入る。次に、一般的な入力フォーマットが第1のユーザに提示され、そのフォーマットにおいて対象メッセージ受信者（この場合、第2のユーザ41）が特定されてもよく、また、図2の13に示されるような所望のメッセージ内容が入力されてもよい。これは、図3の表示画面スナップショット310aのようなものであり、そのレイアウトはそれ自体よく知られており周知である。一般的に、適切な受信者ID（例えば、SMS/MMS用の携帯電話番号、または電子メールメッセージング用の電子メールアドレス）が自動的に検索され、かつメッセージングアプリケーションに提供することができる連絡先アプリケーション（図4の840など）における所望の連絡先記録を選択することによって、対象メッセージ受信者が特定されてもよいことは、当業者には理解される。あるいは、一般的に、対象メッセージ受信者の受信者IDを形成する文字列を手動で入力（例えば、第2のユーザ41の電子メールアドレス「myreceiver@email.xx」を入力）することによって、対象メッセージ受信者が特定されてもよいことは、当業者には理解される。それに応じて、メッセージ内容は、任意の利用可能なデータ入力機能、例えば、キーパッド上の多数のキープレス、スライラスによるデジタル手書き、およびタッチセンサー式のディスプレイ画面、またはスタイラス付きの仮想キーボード上のタッピングによって入力されてもよい。
【００６５】
さらに、本発明によると、メッセージ通知は、送信者側、つまり第1の端末10において先に電子メッセージに割り当てられる。異なる実施形態において、メッセージ通知は、メッセージ送信者、つまり第1のユーザ11によって直接的または間接的に制御可能であってもよい。
【００６６】
「直接的に制御可能」には、第1のユーザ11が、ローカルメモリに事前に保存された多数のメッセージ通知の中からどのメッセージ通知を使用するかを能動的に選択する場合、あるいは第1のユーザ11が、特定の対象メッセージ受信者の受信者IDと事前に関連付けられたメッセージ通知の使用を確認する場合（このような事前に定義されたメッセージ通知またはその参照先は、例えば、図8の連絡先アプリケーションのデータ保存部844における対象受信者に対応する連絡先記録842のフィールドの１つに保存されてもよい）が含まれてもよい。また、「直接的に制御可能」には、第1のユーザ11が、第2の端末40のユーザインターフェース48において第2のユーザ41がメッセージ通知を行う方法に作用するようなパラメータを特定する場合も含まれてもよい。したがって、これらの場合に使用されるメッセージ通知は、図2の13で示されるような新しい電子メッセージの作成時に、対象メッセージ受信者および所望のメッセージ内容と共に第1のユーザ11によって特定される。
【００６７】
「間接的に制御可能」には、新しいメッセージが図2の13で作成される際に、使用されるメッセージ通知またはそのパラメータが、第1のユーザ11によって能動的に特定されるのではなく、図2の19で示されるようにローカルメモリ20を参照して制御装置12によって自動的に判断される場合が含まれてもよい。しかしながら、制御装置42によるメッセージ通知の判断は、それでもなお、第1のユーザ11の過去のデータ入力または動作の一部に間接的に影響を受ける。例えば、一実施形態において、第1のユーザ11は、特定の対象メッセージ受信者の受信者IDとメッセージ通知を事前に関連付けることによって、あるいは受信者が誰であるかに関わらず、第1のユーザからの全メッセージに使用される共通のパーソナライズ化メッセージ通知を定義することによって、使用する特定のメッセージ通知を事前に定義してもよい。このように事前に定義されるメッセージ通知は、ローカルメモリ20に保存され、新しいメッセージが第1のユーザの入力13から生成されると（この場合、対象受信者およびメッセージ内容を含む）、制御装置12は、メッセージ通知を自動的に判断し、それを発信メッセージ信号32において表す。別の実施形態において、使用されるメッセージ通知またはそのパラメータは、第1のユーザ11による以前のメッセージ動作に応じて、制御装置12によって判断される（例えば、特定の対象受信者（第2のユーザ41）のメッセージの前回の送受信のものと同じメッセージ通知を使用する、または第1および第2のユーザ11、41間のメッセージング頻度を表すメッセージ通知を選択する）。
【００６８】
必要情報、つまりメッセージ受信者、メッセージ内容、およびメッセージ通知が上記いずれかの方法で取得されると、制御装置12は、発信電子メッセージを生成し、送信機/受信機22を制御して、第2の端末40および第2のユーザ41が受信することを目的とする信号32として、電子メッセージを移動通信ネットワーク30に伝送する。一実施形態において、信号32は、移動通信ネットワーク30におけるSMSメッセージング基盤（例えば、図lのSMSセンター114）によって第1の端末10から第2の端末40に伝達されるSMSメッセージである。図4を参照してさらに詳しく説明するように、メッセージ通知は、このSMSメッセージのペイロード部に示されてもよい。
【００６９】
信号32、例えば、メッセージ通知を含むそのペイロードを有するSMSメッセージは、第2の移動通信端末40の送信機/受信機52によって受信される。その制御装置42は、受信信号を処理、つまりSMSメッセージを分析し、メッセージのペイロードに示されるメッセージ通知を抽出する。このように抽出されたメッセージ通知は、次に、ユーザインターフェース48において制御装置42によって実行され、信号32におけるSMSメッセージの受信について第2のユーザ41に通知する。メッセージ通知の性質に応じて、これは、視覚効果、聴覚効果、または触覚効果を出力装置46で生成することを伴ってもよい。これに関するさらなる例は、図4を参照して挙げられる。
【００７０】
メッセージが通知されると、第2のユーザ41は、周知の方法でそのメッセージを開封して読むことができる。有利には、メッセージに関連付けられたメッセージ通知は、メッセージが第2の端末40に保存される限り第2のユーザ41に利用可能であり、例えば、メッセージの開封時に一定のメニューオプションを選択することによって後でアクセスされ、またはメッセージのリストにおいてマークされてもよい。
【００７１】
パーソナライズされたメッセージ通知が受信メッセージと関連付けられない場合（例えば、送信者の移動端末にパーソナライズされたメッセージの通知機能がないため、または送信者が、その特定のメッセージにメッセージ通知を割り当てることを選択しなかったため）、制御装置42は、受信者の端末においてメッセージの受信を通知する際に、図5の510aの封筒アイコン517のような標準的な匿名のメッセージ通知を使用する。
【００７２】
図3は、SMSメッセージ332が第1のユーザ（送信者）から第2のユーザ（受信者）に通信される場合の、第1のユーザの端末および第2のユーザの端末それぞれからの、一連の例示的な表示画面スナップショット310a〜dおよび320a〜bを示す。さらに詳細には、310aおよび320aからわかるように、送信者のディスプレイ312と受信者のディスプレイ322との両方は、技術分野において一般的な配列を有し、主要ディスプレイ領域312a/322a、上部状態表示パネル312b/322b、および下部ソフトキーパネル312c/322cを備える。ソフトキーパネル312cおよび322c、ソフトキー用のディスプレイラベル314a〜bおよび324a〜bは、送信者の端末および受信者の端末の入力装置にそれぞれ含まれる。
【００７３】
送信者は、310aにおいて新しいSMSメッセージを作成し、対象受信者（My Receiver）を315において特定し、いくつかのメッセージ内容を316において特定している。その入力が完了すると、送信者はソフトキー314bを選択し、そのオプションのリストが310bに示される。ここで、送信者は、特に、パーソナライズされたメッセージ通知と共にメッセージを送信するか否か選ぶことができる。パーソナライズされたメッセージ通知無しで送信（「送信」）を選ぶと、メッセージは、その他のいずれかの従来のSMSメッセージのように、受信者に送信され、受信者の端末で受信されると、図5の510aの517のような標準的な匿名のメッセージ通知によって通知される。一方、「メディエータと送信」を選択すると、図2を参照して上述したような、パーソナライズされたメッセージ通知を、メッセージと関連付ける機会が送信者に設けられる。
【００７４】
図3において、開示される個人用のメッセージ通知は、「メディエータ」と呼ばれる種類のものである。メディエータは、グラフィカルアニメーションまたは静止画像あるいはアイコンなどの視覚的なメッセージ通知であり、具体的には、送信者に関する感情を表現するために設計される。有利には、メディエータは、性格および/または気分を表現するアニメのキャラクタを描写する。送信者は、メッセージの送信前に、メディエータの気分に作用することができる。メディエータは、受信者の端末上でアニメーションとして出現し、メッセージの受信を通知する。メディエータのキャラクタおよび気分表現によって、感情的な内容がメッセージに与えられ、メッセージの意図を高めることができる。メディエータは、2人またはグループ間で独自のものまたは選択可能のものである。メディエータにより、メッセージ通知はより意義のあるものになる。好ましくは、ユーザは、自身のメディエータを作成またはパーソナライズすることが可能、あるいはそれらを図1のインターネットサーバ122などのサービスからダウンロードすることが可能である。あるいは、メディエータは、独立した視覚的なキャラクタであってもよく、送信者の端末に属し、かつその感情状態が関係当事者の通信動作によって作用されてもよい。
【００７５】
図3の表示画面スナップショットを再び参照すると、「メディエータと送信」を310bで選択した後、310cにおいて、利用可能なメディエータのリストがユーザに提示される。特定のメディエータが既に事前に定義および特定の受信者と関連付けられている場合、送信者は、代わりに、その特定のメディエータの利用確認を指示されてもよく、あるいはその特定のメディエータは、送信者の便宜上、310cのようなリストにおいて強調表示されてもよい。
【００７６】
310cのリストにおいて異なるキャラクタ（つまり、犬、顔、および郵便配達員）を表示する代わりに、１つの共通のキャラクタが、好ましくは選択可能なパラメータを有する共通のキャラクタなどのメディエータとして使用されてもよく、そのパラメータは、受信者による実行時にキャラクタの動作を制御する。このようなパラメータは、例えば、その共通のキャラクタの種々の気分（幸せ、悲しみ、怒り、疲労、興奮など）を表してもよい。
【００７７】
310cにおいてディスプレイからメディエータ317を選択すると、310dにおいて、選択されたメディエータ317のプレビューが送信者に提供される。310dにおける別のオプションとして、メッセージを実際に送信することが挙げられる。「送信」の選択後、選択されたメディエータは、このようにして生成されたSMSメッセージ332において示され、そのメッセージは、図2に関して上述したように、信号として移動通信ネットワーク上で受信者の端末に通信される。
【００７８】
SMSメッセージ332の受信後、その中に示されるメディエータは、受信者の端末322の主要ディスプレイ領域322aにおいて、メッセージ332のための標準的なメッセージ通知の代わりとなるパーソナライズ化メッセージ通知として、抽出および実行される。アニメのメディエータは、受信者がメッセージを開封するまで一定間隔で動く。320aにおいて「読む」オプション324aを選択することによって、320bのようなこれまで周知の方法で、メッセージ内容326が受信者に提示される。メッセージが開封されると、メディエータは、特定のメッセージのオプションメニューによって利用可能になる。
【００７９】
次に図4を参照すると、電子メッセージングのメッセージ通知に特に焦点を置いた、一実施形態に係る移動通信端末が詳細に示される。図4の移動通信端末は、図1および2の端末100、106、10、および40のいずれであってもよい。
【００８０】
図4から分かるように、制御装置800は、移動端末の操作全体に関与し、好ましくは、任意の市販の中央処理装置（Central Processing Unit; CPU）、デジタルシグナルプロセッサ（Digital Signal Processor; DSP）、またはその他の任意の電子的にプログラム可能な論理装置によっても実装される。制御装置800は、RAMメモリ、ROMメモリ、EEPROMメモリ、フラッシュメモリ、またはその任意の組み合わせなどの、関連する電子メモリ802を有する。メモリ802は、制御装置800による種々の目的のために使用され、その目的の１つは、移動端末における種々のソフトウェアのデータおよびプログラム命令を保存することにある。ソフトウェアには、リアルタイムオペレーティングシステム820、マンマシンインターフェース（Man-Machine Interface; MMI）モジュール834、アプリケーションハンドラ832、ならびに種々のアプリケーションが含まれる。図示される例において、アプリケーションには、連絡先（電話帳）アプリケーション840、メッセージングアプリケーション850（例えば、SMS、MMS、および電子メール用の）、ならびにその他のアプリケーション860、870が含まれる。MMIモジュール834には、ディスプレイ836およびキーパッド838を含む種々のMMIまたは入力/出力（I/O）装置と恊働するドライバが含まれる。マイクロフォン、スピーカ、バイブレータ、ジョイスティック、着信音発生器、LEDインジケータなどのその他の種々のI/O装置は、MMIモジュール834と恊働してもよい。また、MMIモジュール834は、グラフィカルユーザインターフェース（Graphical User Interface; GUI）を移動端末のユーザに提供するためのソフトウェアも含む。したがって、それ自体一般的に知られているように、ユーザはこのように形成されたマンマシンインターフェースを介して移動端末を操作してもよい。
【００８１】
また、移動端末におけるソフトウェアには、共通して830で指定される種々のモジュール、プロトコルスタック、ドライバなども含まれ、通信サービス（トランスポート、ネットワーク、および接続）をRFインターフェース806（実施形態によってはブルートゥースインターフェース808およびIrDAインターフェース810にも）提供する。RFインターフェース806は、内部または外部アンテナ、ならびに無線リンクを基地局（例えば、図1のリンク102/108および基地局104/109）に確立および保持するための適切な無線回路を備える。当業者によく知られているように、無線回路は、一連のアナログおよびデジタル電子的構成要素を備え、一体となって無線受信機および送信機を形成する。これらの構成要素には、特に、帯域通過フィルタ、増幅器、混合器、局所発振器、低域通過フィルタ、AD/DA変換器などが含まれる。
【００８２】
また、移動端末は、SIMカード804および関連の読取機も有する。一般的によく知られているように、SIMカード804は、プロセッサならびに局所的機能およびデータメモリを備える。
【００８３】
連絡先アプリケーション840は、データ保存部844に保存される複数の連絡先エントリまたは記録842を処理し、メモリ802に物理的に収容されてもよい。各連絡先エントリ842は、表示された人の名前や携帯電話番号に関する情報が記載されるデータフィールドを有し、そのデータフィールドには、その他の電話番号、住所、電子メールアドレス、音声ダイヤル（Voice-Activated Dialing; VAD）データなどのその他の情報も記載されることが好ましい。
【００８４】
メッセージングアプリケーション850は、SMS、MMS、および電子メールなどのメッセージングサービスを提供する。したがって、移動端末のユーザは、例えば、キーパッド838を介して所望のテキストを入力することによって、テキストベースのSMSメッセージを生成し、例えば、連絡先アプリケーション840の連絡先エントリ842のうちの１つを参照することによって対象受信者を指定し、SMSメッセージをパーソナライズされたメッセージ通知と関連付け、テキストベースのSMSメッセージをモジュール830および806を介して移動通信ネットワークおよびその中のメッセージング基盤（例えば、ネットワーク110およびSMSセンター）上で送信することによって、最終的に対象受信者の端末に到達するようにする。
【００８５】
本発明の一実施形態における一般的な発信SMSメッセージ852の構成は、図4に示される。SMSメッセージ852は、制御データ部分854およびメッセージデータ部分856を有する。制御データ部分854は、120オクテットを占め、プロトコル層に特有および対象受信者の受信者ID（電話番号）855の明細事項を含むメッセージの種類に特有の種々の制御データを含む。SMSメッセージのフォーマットに関する詳細については、2G、2.5G、および3Gの移動通信システムの取得可能な基準を参照されたい。例えば、3GシステムのSMSサービスについては「3GPP TS 24.011」に詳細に記載され、http://www.3gpp.org/から入手可能である。
【００８６】
メッセージデータ部分856は、140オクテットを占め、SMSメッセージのペイロード、つまり実際のメッセージ内容858を含む。さらに、メッセージデータ部分は、送信者によって発信SMSメッセージ852に関連付けられたメッセージ通知857も表す。一実施形態において、具体的には140よりも大幅に少ないオクテットを占めるデジタルデータに示されることができる簡潔なメッセージ通知に適切な実施形態において、メッセージ通知の実際のデジタルデータ（例えば、アイコンを定義するデジタル画像データ）は、メッセージのペイロード856における857に保存されてもよい。当然ながら、これによりメッセージ内容858に残される保存スペースが削減され、結果的にメッセージ内容の最大文字数が、通常の160個の7ビット文字未満の数に制限される。
【００８７】
したがって、いくつかの実施形態において、このようなメッセージの最大文字数の削減を最小限にするために、実際のデジタルデータ全体ではなく、メッセージ通知を定義する実際のデジタルデータの参照先のみがメッセージペイロード857に保存される。これは、図3のメディエータのようなグラフィカルアニメーションなどのより複雑なメッセージ通知にとって特に有利になる。このような参照先は、各メッセージ通知を定義する一連のデジタルデータの規則構造に対するインデックスであってもよく、その場合、これらの一連のデジタルデータは、a）受信者の端末に局所的に保存される（送信者端末と受信者端末の事前の同期化を行ない、双方が同一のメッセージ通知を定義する一連の同一デジタルデータを含むようにすることが必要）、b）両端末にアクセス可能な遠隔地（インターネットサーバ122または移動通信ネットワークにおけるリソースなど）に保存される、またはc）特定のSMSメッセージ852のメッセージペイロード856以外（例えば、メッセージ852の制御データ部分856において、またはメッセージ852の次に続く別のSMSメッセージにおいて）伝送される。
【００８８】
SMSの代わりにMMSを使用する実施形態において、メッセージ通知は、このMMSメッセージ内に組み込まれるメディアオブジェクトとして有利に示されてもよい。このために、MMSメッセージのヘッダ（制御データ部分）は、メディアオブジェクトへの特定の参照先を含み、組み込まれたメッセージ通知を含むこのMMSメッセージと、従来のMMSメッセージとを、受信者端末が区別可能にしてもよい。したがって、受信者端末は、自動的にメディアオブジェクトを抽出し、MMSメッセージの受信時にそれをメッセージ通知として使用可能になる。それに応じて、電子メールを使用する実施形態、例えば、POP3またはIMAP4プロトコルに基づき電子メールを受信し、かつSMTPプロトコルに基づき電子メールを送信することができる電子メールクライアントを有する移動端末において、メッセージ通知は、この電子メールメッセージの添付に示されてもよい。
【００８９】
次に、図5を参照すると、本発明の異なる実施形態に係る、パーソナライズされたメッセージ通知518〜523の異なる例510b〜510gが示される。
【００９０】
510bは、受信者の端末ディスプレイ512の主要ディスプレイ領域512aにおいて、封筒アイコン517用のポップアップウィンドウ516に異なる色518を使用することによる、パーソナライズされたメッセージ通知を描く。
【００９１】
510cは、ユーザ間のメッセージ用に、2人の友人の写真のような共通のメッセージ通知の使用に合意した移動端末の異なるユーザ間の、合意またはトークン519に基づくパーソナライズされたメッセージ通知を描く。
【００９２】
510dは、受信者の端末ディスプレイの背景（壁紙）520を変更することによって、パーソナライズされたメッセージ通知が実行可能であることを描く。
【００９３】
510eは、前述のメディエータのようなアニメのキャラクタ521形式のパーソナライズされたメッセージ通知を描く。
【００９４】
510fは、メッセージ送信前の送信者の表情の写真522形式のパーソナライズされたメッセージ通知を描く。
【００９５】
510gは、アニメーション形式のパーソナライズされたメッセージ通知を示し、そのアニメーションの要素523は元々の通知が終了してもディスプレイ512に存在する。
【００９６】
図5に開示される種々のパーソナライズされたメッセージ通知518〜523は、先行の図面を参照して記載された実施形態の場合のように送信者制御であってもよい。付加的または代替的に、それらは受信者制御であってもよい。後者の場合、可能性のある電子メッセージ受信者は、510aの標準的な匿名のメッセージ通知517の代わりに、受信メッセージを通知する際に使用される１つ以上のパーソナライズされたメッセージ通知を定義してもよい。可能性のある電子メッセージ受信者は、異なるパーソナライズされたメッセージ通知を可能性のある複数の電子メッセージ送信者と関連付けることによって、その送信者からメッセージを受信する際に特定のパーソナライズ化メッセージ通知を感知して、送信者が誰であるかを即時に解釈するという受信者の能力が改善される。
【００９７】
図6は、異なる色を使用して受信者側でメッセージ通知をパーソナライズして、可能性のある複数の電子メッセージ送信者を表す場合の、一連の例示的な表示画面スナップショットを示す。610aから分かるように、個人用の通知は、移動端末の連絡先リストのエントリまたはエントリ群を選択し、その後、オプションメニューの個人用通知項目（610b）を選択することによって設定可能である。次に、異なる種類の通知（610cおよびd）のリストがユーザに提示される。その後、選択された種類は、連絡先リストから選択されたエントリまたはエントリ群用の、図5の510bで示されるような通知として使用される。異なる種類の通知は、連絡先リストにおける異なるエントリまたは群に使用されうる。
【００９８】
送信者がメッセージ通知を単一の受信者と関連付ける場合を使用して説明したが、本発明は、送信者が受信者のグループを選択し、かつメッセージ通知をこのグループの全メンバーと関連付ける場合にも適用されてもよい。
【００９９】
本発明の大部分は、多数の実施形態を参照して上述した。しかしながら、当業者が容易に理解するように、上に開示されたもの以外のその他の実施形態は、添付の特許の請求項によって定義される本発明の範囲内において同様に可能である。
【図１】
2009509260.tif 000003
【図２】
2009509260.tif 000004
【図３】
2009509260.tif 000005
【図４】
2009509260.tif 000006
【図５】
2009509260.tif 000007
【図６】
2009509260.tif 000008
【国際調査報告】
2009509260.tif 000009
2009509260.tif 000010
2009509260.tif 000011
2009509260.tif 000012